(57)【要約】【目的】免震構造体の風揺れを防止するための装置で、電源を必要としない自動制御型風揺れ固定装置の開発である。【構成】免震装置される構造体とこの免震装置される構造体を支持する構造体とを固定する固定ピンが、地震センサーで地震の振動を感じてその固定ピンの挿入部から引抜かれることによって、免震装置される構造体の固定が解除され、免震装置が可動し、風揺れを防止する装置である。【選択図】図１
2008045396.tif 000002
【特許請求の範囲】
【請求項１】
すり鉢形状の挿入部と当該挿入部によって固定される固定ピンとを有した風揺れを防止する固定ピン装置において、筒中を液体を漏らさずにスライドするピストンをもった固定ピンが、その筒に挿入され、その外に固定ピン先端が突き出ており、さらに、この筒の上と下とは管で繋がれており、このピストンには、この管の孔より大きい、孔があり、その孔に弁があり、この弁は、このピストンが引き込まれる時に、開くように付けられており、この弁の性格により、前記固定ピン先端は、この筒の中に入る方向では、速やかであり、出る方向では、遅延され、それにより、地震力が働くと速やかに、この固定ピンは、この筒の中に入り、地震力が働いている間は、出にくくなり、この筒と前記管とは、油で満たされており、加えて、この固定ピンには、この固定ピン先端を固定するロックが差し込まれる溝または窪みがあり、このロックは常時、バネで押され、一定位置を保っており、このロック自体が、地震時に不動点となる地震センサー振幅装置となり、そして、地震時には、この地震センサー振幅装置のロックが不動点状態となり、この固定ピンの溝または窪みからロックが外れて、固定ピンは、前記筒の中に入り、免震装置全体が可動し始め、地震終了時には、重力、前記筒中のバネまたはゴムにより、徐々にこの固定ピン先端が出始め、前記すり鉢形状の挿入部の勾配に従いながら、最も底で、前記ロックにより、この固定ピン先端が固定され、免震される構造体も固定され、かつ、前記固定ピンの挿入部と固定ピンのうち、一方を免震される構造体に、もう一方をこの免震される構造体を支持する構造体に設けることにより構成されてなることを特徴とする風揺れ固定装置。
【請求項２】
すり鉢形状の挿入部（固定する側）と当該挿入部によって固定される固定ピンとを有した風揺れを防止する固定ピン装置において、筒中を液体を漏らさずにスライドするピストンをもった固定ピンが、その筒に挿入され、その外に固定ピン先端が突き出ており、この筒の上と下とは管で繋がれており、この筒とこの管とには、油で満たされており、加えて、地震で振幅する装置をもち、その地震センサー振幅装置には、前記管に設けられた弁を開くための押出し部を持ち、この弁は、ピストンを押出す時に開くようにされており、地震時には、前記地震センサー振幅装置が振幅し、この押出し部を押出して、この弁を開き、地震力により前記固定ピン先端が（すり鉢形状の挿入部の勾配を上り）持ち上がり、免震装置全体が可動し始め、地震終了時には、前記すり鉢形状の挿入部の勾配に従いながら、前記筒の中のバネまたは重力により、この固定ピン先端が突き出る方向に働き、かつ、この弁も突き出る方向にしか開かないので、前記すり鉢形状の挿入部の勾配に従いながら、最も底で、この固定ピン先端が止まり、免震される構造体も固定され、かつ、前記固定ピンの挿入部（固定する側）と固定ピンのうち、一方を免震される構造体に、もう一方をこの免震される構造体を支持する構造体に設けることにより構成されてなることを特徴とする固定ピン装置。
【請求項３】
すり鉢形状の挿入部と当該挿入部によって固定される固定ピンとを有した風揺れを防止する固定ピン装置において、この固定ピンには、この固定ピンを固定するロックが差し込まれる溝または窪みがあり、このロックは常時、バネで押され、一定位置を保っており、このロック自体が、地震時に不動点となる地震センサー振幅装置となり、そして、地震時には、この地震センサー振幅装置のロックが不動点状態となり、この固定ピンの溝または窪みからロックが外れて、すり鉢状の凹形状挿入部により、固定ピンが持ち上がり、固定ピン装置が解除され、免震装置全体が可動し始め、地震終了時には、重力、バネまたはゴムにより、徐々にこの固定ピンが下り始め、前記すり鉢形状の挿入部の勾配に従いながら、最も底で、前記ロックにより、この固定ピンが固定され、免震される構造体も固定され、かつ、前記固定ピンの挿入部（固定する側）と固定ピンのうち、一方を免震される構造体に、もう一方をこの免震される構造体を支持する構造体に設けることにより構成されてなることを特徴とする固定ピン装置。
【発明の詳細な説明】
【技術分野】
【０００１】
この発明は風揺れ固定装置に関するものである。
風揺れ固定装置は、免震装置によって免震される構造体とこの免震される構造体を支持する構造体との間に設けられ、風揺れを防止する装置である。
【背景技術】
【０００２】
本発明者兼出願人は、特許 1844024号と特許 2575283号とで固定ピン装置（風揺れ固定装置）の発明をしている。
【発明の開示】
【発明が解決しようとする課題】
【０００３】
本発明者兼出願人は、特許 1844024号と特許 2575283号とで固定ピン装置（風揺れ固定装置）の発明をしているが、特許 2575283号の風揺れ固定装置の詳細の仕様が求められた。 
【課題を解決するための手段】
【０００４】
請求項１項、２項 、３項記載の発明は、特許 2575283号での風揺れ固定装置の詳細の仕様である。
風揺れ固定装置は、風揺れを防止させるための装置である。
【０００５】
これらの発明は、免震される構造体とこの免震される構造体を支持する構造体とを固定し、風揺れを防止する固定ピンが、地震センサー等で地震の振動、特に初期微動を感じてその固定ピンの挿入部から引抜かれる等によって、免震される構造体の固定が解除される装置である。 
【０００６】
請求項１は、以下の発明である。 
風揺れを防止する固定ピンと固定ピンを固定するすり鉢形状の挿入部（固定する側）とを有し、筒中を液体を漏らさずにスライドするピストンをもった固定ピンが、その筒に挿入され、その外に固定ピン先端が突き出ており、さらに、この筒の上と下とは管で繋がれており、このピストンには、この管の孔より大きい、孔があり、その孔に弁があり、この弁は、このピストンが引き込まれる時に、開くように付けられており、この弁の性格により、前記固定ピン先端は、この筒の中に入る方向では、速やかであり、出る方向では、遅延され、それにより、地震力が働くと速やかに、この固定ピンは、この筒の中に入り、地震力が働いている間は、出にくくなり、この筒と前記管とは、油で満たされており、加えて、この固定ピンには、この固定ピン先端を固定するロックが差し込まれる溝または窪みがあり、このロックは常時、バネで押され、一定位置を保っており、このロック自体が、地震時に不動点となる地震センサー振幅装置となり、そして、地震時には、この地震センサー振幅装置のロックが不動点状態となり、この固定ピンの溝または窪みからロックが外れて、固定ピンは、前記筒の中に入り、免震装置全体が可動し始め、地震終了時には、重力、前記筒中のバネまたはゴムにより、徐々にこの固定ピン先端が出始め、前記すり鉢形状の挿入部勾配に従いながら、最も底で、前記ロックにより、この固定ピン先端が固定され、免震される構造体も固定され、かつ、前記固定ピンと挿入部（固定する側）のうち、一方を免震される構造体に、もう一方をこの免震される構造体を支持する構造体に設けることにより構成する。
【０００７】
請求項２は、以下の発明である。 
風揺れを防止する固定ピンと固定ピンを固定するすり鉢形状の挿入部（固定する側）とを有し、筒中を液体を漏らさずにスライドするピストンをもった固定ピンが、その筒に挿入され、その外に固定ピン先端が突き出ており、この筒の上と下とは管で繋がれており、この筒とこの管とには、油で満たされており、加えて、地震で振幅する装置をもち、その地震センサー振幅装置には、前記管に設けられた弁を開くための押出し部を持ち、この弁は、ピストンを押出す時に開くようにされており、押出し部には、この弁を常に閉じる状態にするバネを設ける場合もあり、地震時には、前記地震センサー振幅装置が振幅し、この押出し部を押出して、この弁を開き、地震力により前記固定ピン先端が（すり鉢形状の挿入部勾配を上り）持ち上がり、免震装置全体が可動し始め、地震終了時には、前記すり鉢形状の挿入部勾配に従いながら、前記筒の中のバネまたは重力により、この固定ピン先端が突き出る方向に働き、かつ、この弁も突き出る方向にしか開かないので、前記すり鉢形状の挿入部勾配に従いながら、最も底で、この固定ピン先端が止まり、免震される構造体も固定され、かつ、前記固定ピンと挿入部（固定する側）のうち、一方を免震される構造体に、もう一方をこの免震される構造体を支持する構造体に設けることにより構成する。
【０００８】
請求項３は、以下の発明である。 
風揺れを防止する固定ピンと固定ピンを固定するすり鉢形状の挿入部（固定する側）とを有し、この固定ピンには、この固定ピンを固定するロックが差し込まれる溝または窪みがあり、このロックは常時、バネで押され、一定位置を保っており、このロック自体が、地震時に不動点となる地震センサー振幅装置となり、そして、地震時には、この地震センサー振幅装置のロックが不動点状態となり、この固定ピンの溝または窪みからロックが外れて、すり鉢状の凹形状挿入部により、固定ピンが持ち上がり、風揺れ固定装置が解除され、免震装置全体が可動し始め、地震終了時には、重力、バネまたはゴムにより、徐々にこの固定ピンが下り始め、前記すり鉢形状の挿入部勾配に従いながら、最も底で、前記ロックにより、この固定ピンが固定され、免震される構造体も固定され、かつ、前記固定ピンと挿入部（固定する側）のうち、一方を免震される構造体に、もう一方をこの免震される構造体を支持する構造体に設けることにより構成する。
【発明の効果】
【０００９】
地震センサー等で地震の振動を感じて固定ピンがその挿入部から引抜かれる等の係脱する装置であるが、電気制御式は、地震後の風揺れ固定装置の元の位置への復帰に関して、地震後の停電を考えると、中小ビル以下では適用しにくい。これらの地震センサー（振幅）による自動制御型風揺れ固定装置は、電気に頼らないシステムにより、その問題を解決するものである。 
【発明を実施するための最良の形態】
【００１０】
図１は、請求項１項記載の発明の地震センサー（地震センサー振幅装置）による自動制御型風揺れ固定装置の実施例を示している。
すり鉢形状等の挿入部７-vと当該挿入部７-vによって固定される固定ピン７を有し、筒中で液体や空気等が漏れず、スライドするピストン７-pをもった固定ピン７が、その筒（固定ピン取付け部）７-aに挿入され、その外に固定ピン先端７が突き出ており、さらに、筒７-aの上と下とは管７-eで繋がれている。
そして、ピストン７-pには、この管７-eの孔より大きい、孔７-jがあり、その孔に弁７-fがある。
この弁７-fは、ピストン７-pが引き込まれる時に、開くように付けられる。
また、その筒７-aの中にバネ（空気バネ含む）またはゴム７-oが入り、ピストン７-pをもった固定ピン７を押出す役割をする場合もある。
この弁７-fの性格により、固定ピン先端７は、筒７-a中に入る方向では、速やかであり、出る方向では、遅延される。
それにより、地震力が働くと速やかに、固定ピン先端７は、筒７-a中に入り、地震力が働いている間は、出にくくなる。
また、筒７-a、及び管７-eとは、油等で満たされている場合もある。
さらに、固定ピン７には、この固定ピン先端７を固定するロック１１が差し込まれる溝または窪み７-cがあり、このロック１１は常時、バネ９で押されており、一定位置を保っており、このロック１１自体が、地震時に不動点となる地震センサー振幅装置１５となる。
これらの事により、地震時に、地震センサー振幅装置１５のロック１１が不動点状態となり、固定ピン７の溝または窪み７-cからロック１１が外れ、すり鉢状等の凹形状挿入部７-vm 
により、固定ピン先端７が持ち上がり、風揺れ固定装置が解除される。
地震最中においては、地震振幅によって、すり鉢状等の凹形状挿入部７-vm により、固定ピン先端７は持ち上がった状態が維持される。また、上記ピストン７-pの機構により、固定ピン先端７の下りる速度を落とすことは、固定ピン先端７の持ち上がった状態を維持するのに、より効果を発する。
地震終了段階には、地震力の低下に従い、固定ピン先端７は重力、バネ （空気バネ含む）、またはゴム７-oにより下がり始める。そして、すり鉢形状の挿入部勾配に従いながら、すり鉢状等の凹形状挿入部７-vm 
の底に達したときに、ロック１１により固定ピン７はロックされ、免震される構造体Ａも固定され、固定ピン装置としての機能に戻る。
そして、地震力が働かない限り、地震センサー振幅装置１５のロック１１により、固定ピン先端７-wがロックされ続けており、風等では免震される構造体Ａは動かない。
以上の構成は、固定ピン７が免震される構造体１に、固定ピンの挿入部７-vmが免震される構造体を支持する構造体２に、取付けられている場合の実施例である。逆の関係の場合もある。
つまり、前記固定ピンの挿入部７-vmおよび固定ピン７のうち、一方を免震される構造体１に、もう一方をこの免震される構造体を支持する構造体２に設けることになる。
また、筒７-aの上部に関して、単に止め金が固定されている場合もあるが、雌ネジが切られて、雄ネジ７-dが挿入されている場合もある。この雄ネジ７-dについては、雄ネジ７-dが入り込み方向に回転して締めることにより、バネ等７-oを圧縮して、バネ等７-oの反発力を強め、固定ピン先端７の押し出す力を強める機能をもち、復元力を高めたり、地震後の地震後の免震される構造体Ａの残留変位の矯正を可能にする。
また、管７-eにバルブを付ける事により、手動による強風時の強制的固定も可能になる。 
【００１１】
図２は、請求項２項記載の発明の地震センサー（地震センサー振幅装置）による自動制御型固定ピン装置の実施例を示している。
すり鉢形状等の挿入部７-vm と当該挿入部７-vm によって固定される固定ピン７を有し、筒中で液体や空気等が漏れず、スライドするピストン７-pをもった固定ピン７が、その筒（固定ピン取付け部）７-aに挿入され、その外に固定ピン先端７-wが突き出ており、さらに、筒７-aの上と下とは管７-eで繋がれている。
また、その筒７-aの中にバネ（空気バネ含む）またはゴム７-oが入り、ピストン７-pをもった固定ピン７を押出す役割をする場合もある。
さらに、地震センサー振幅装置１３、１４、１５（ (a)図は、地震センサー振幅装置１５の場合、 (b)図は、地震センサー振幅装置１４）をもち、その地震センサー振幅装置及び押出し部１７の先に、管７-eの弁７-fを開く押出し部７-hを持つ。なお、押出し部７-hには、弁７-fを常に閉じる状態にするバネ７-iを設ける場合がある。
この弁７-fは、ピストン７-pを押出す時に開くように付けられる。
そして、地震時には、地震センサー振幅装置（１３、１４、１５）が振幅し、押出し部７-hを押出して、弁７-fを開き、地震力により固定ピン先端７-wが（すり鉢形状の挿入部勾配を上り）持ち上がり、免震装置全体が可動し始める。
逆に、地震終了時には、すり鉢形状の挿入部勾配に従いながら、バネ７-oまたは重力（固定ピン７が上の場合）により、固定ピン先端７-wが突き出る方向に働き、かつ、弁７-fも突き出る方向にしか開かないので、すり鉢形状の挿入部勾配に従いながら、最も底で、固定ピン先端７-wが止まり、免震される構造体Ａも固定される。
以上のことから、この弁７-fの性格により、地震時以外は、固定ピン先端７-wは、下に突き出す方向性のみを持ち、引き込むことは、地震時以外には起こらない。
また、筒７-a、及び管７-eとは、油等で満たされている場合もある。
以上の構成は、固定ピン７が免震される構造体１に、固定ピンの挿入部７-vが免震される構造体を支持する構造体２に、取付けられている場合の実施例である。逆の関係の場合もある。
つまり、前記固定ピンの挿入部７-vおよび固定ピン７のうち、一方を免震される構造体１に、もう一方をこの免震される構造体を支持する構造体２に設けることになる。
また、筒７-aの上部に関して、単に止め金が固定されている場合もあるが、雌ネジが切られて、雄ネジ７-dが挿入されている場合もある。この雄ネジ７-dについては、雄ネジ７-dが入り込み方向に回転して締めることにより、バネ等７-oを圧縮して、バネ等７-oの反発力を強め、固定ピン先端７-wの押し出す力を強める機能をもち、復元力を高めたり、地震後の地震後の免震される構造体Ａの残留変位の矯正を可能にする。
【００１２】
図３は、地震センサー振幅装置１５の中に、固定ピン７が入り、地震センサー振幅装置１５が同時にロック１１の役割を果たす場合である。
風揺れ等を防止する固定ピン７には、この固定ピン７を固定するロック１１が差し込まれる溝または窪み７-cがあり、このロック１１は常時、バネ９で押され、一定位置を保っており、このロック１１自体が、地震時に不動点となる地震センサー振幅装置１５となる。
固定ピン７は自然に重力により下がる。またはバネ９-cにより、すり鉢状等の凹形状挿入部７-vm へ固定ピン７の下りる速度を落とす役割をさせる。つまり、バネ９-cは固定ピン７の下りる速度を緩和させる程度のバネ定数とする。
これらの事により、地震時に、地震センサー振幅装置１５のロック１１が不動点状態となり、固定ピン７の溝または窪み７-cからロック１１が外れ、すり鉢状等の凹形状挿入部７-vm 
により、固定ピン７が持ち上がり、固定ピン装置が解除される。
地震最中においては、地震振幅によって、すり鉢状等の凹形状挿入部７-vm により、固定ピン７は持ち上がった状態が維持される。また、バネ９-cにより、固定ピン７の下りる速度を落とすことは、固定ピン７の持ち上がった状態を維持するのに、より効果を発する。
地震終了段階には、地震力の低下に従い、固定ピン７は重力により下がり始める。そして、すり鉢形状の挿入部勾配に従いながら、すり鉢状等の凹形状挿入部７-vm 
の底に達したときに、ロック１１により固定ピン７はロックされ、免震される構造体Ａも固定され、固定ピン装置としての機能に戻る。
そして、地震力が働かない限り、地震センサー振幅装置１５のロック１１により、固定ピン先端７がロックされ続けており、風等では免震される構造体Ａは動かない。
請求項３項記載の発明は、この地震センサー（振幅）による自動制御型風揺れ固定装置の発明である。
また、共に、引抜き防止装置・滑り支承Ｃとの併用が、不可欠になる。というのは、地震振幅によって、すり鉢状等の凹形状挿入部７-vm により、風揺れ固定装置全体が持ち上がると、風揺れ固定装置の機能を果たさない。それを防止するためにはぬ、引抜き防止装置との併用が不可欠になる。
【図面の簡単な説明】
【００１３】
【図１】風揺れ固定装置の断面図である。
【図２】風揺れ固定装置の断面図である。
【図３】風揺れ固定装置の断面図である。
【符号の説明】
【００１４】
Ａ…支持される構造体また免震される構造体、
Ｂ…支持される構造体また免震される構造体Ａを支持する構造体、
Ｃ…復元装置（重力復元型免震・滑り支承、積層ゴム型またバネ型を含む）、
Ｄ…免震・滑り支承、Ｅ…外れ防止装置、
Ｆ…引抜き防止装置・滑り支承、
Ｇ…固定ピン装置、
Ｇ-d…地震感度の敏感な固定ピン装置、
Ｇ-s…地震感度の鈍感な固定ピン装置、
Ｇ-wd …風力センサー感度の敏感な固定ピン装置、
Ｇ-ws …風力センサー感度の鈍感な固定ピン装置、
Ｈ…水平免震装置、
Ｉ…垂直免震装置、
１…支持され、免震される構造体の梁また床版・スラブまた柱、
１-s…支持され、免震される構造体のスラブ、
２…支持される構造体また免震される構造体Ａを支持する構造体の部材また基礎部分、
３…免震皿、
３-a…上部免震皿、３-b…下部免震皿、３-m…中間免震皿、
３-m1 …中間免震皿（その１）、３-m2 …中間免震皿（その２）、
３-m3 …中間免震皿（その３）、３-m4 …中間免震皿（その４）、
３-m5 …中間免震皿（その５）、３-m6 …中間免震皿（その６）、
３-t…免震皿の摩擦係数の違う滑り部の区分け線（実際は線などない）、
３-s…免震皿同士をつなぐスライド部材
３-c…免震皿の側面の周囲のシールまた防塵カバー
４…スライド部材、
４-i…内のスライド部材、
４-o…外のスライド部材、
４-P…スライド止め金、
４-v…真上のスライド孔、
４-a…上部スライド部材、
４-as …上部スライド部材の免震皿、
４-al …上部スライド部材の下部材、
４-b…下部スライド部材、
４-bs …上部スライド部材の免震皿、
４-bu …下部スライド部材の上部材、
４-m…中間部スライド部材
４-mm …中間部スライド部材の中間材
４-av …上部スライド部材の真上のスライド孔、
４-bv …下部スライド部材の真上のスライド孔、
４-c…スライド部材押さえプレート等の部材、
４-s…スライド部材の押えバネ、
４-fs …スライド部材の押え板バネ
５…ローラー・ボール等のベアリング部若しくは滑り部（滑り部という）、
５-a…垂直免震装置また滑り部の筒、
５-b…垂直免震装置また滑り部の筒に挿入されるバネ（空気バネ含む）またゴム、 
５-c…垂直免震装置また滑り部の筒に挿入されるバネの先に取付く滑り部先端、
５-d…垂直免震装置また滑り部の筒のバネの押さえ雄ネジ
５-e…ボールベアリング
５-f…ローラーベアリング
５-er …ボールベアリング循環式転がり案内リターン穴・リターンボール列
５-fr …ローラーベアリング循環式転がり案内リターン穴・リターンローラー列
５-g…保持器（玉軸受・ころ軸受）
５-u…滑り部上部、
５-l…滑り部下部、
６…中間滑り部またローラー・ボールベアリングをもった中間滑り部（中間滑り 部という）、
６-u…滑り部上部、
６-l…滑り部下部、
６-a…第一中間滑り部、
６-b…第二中間滑り部、
６-c…第三中間滑り部、
７…固定ピン
７-a…ピストン７-pの挿入筒（固定ピン取付け部）
７-b…固定ピンの取付け取外しのためのねじ切り
７-c…固定ピンのロック（止め金等）受けの欠き込み
７-d…雄ネジ
７-e…管
７-f…弁
７-h…押出し部
７-i…弁７-fを常に閉じる状態にするバネ
７-j…孔
７-k…第１のピン７-lが差し込まれる溝また窪み
７-l…第１のピン
７-m…第２のピン７-nが差し込まれる溝また窪み
７-n…第２のピン
７-o…バネ（空気バネ含む）またゴム
７-p…ピストン
７-Q…風圧センサー
７-r…風圧を受ける板（風圧板）
７-s…折れピンによる固定ピン、
７-t…風圧板と連動する油圧ポンプ
７-u…固定ピン装置を作動させる油圧ポンプ
７-v…固定ピンの挿入部、
７-vm …固定ピンのすり鉢形状等の凹形態の挿入部、
７-w…固定ピン先端
７-x…回転心棒
７-y…尾翼
８…ワイヤー、ロープまたケーブル、８-u…上弦材、８-l…下弦材、
８-r…レリーズ
８-rf …レリーズの固定材
９…バネ、
９-c…圧縮された状態のバネ（空気バネ含む）またゴム 
９-t…引張られた状態のバネ（空気バネ含む）またゴム
１０…バネ止め（その直下の免震される構造体（逆の場合は免震される構造体を 支持する構造体）等に取付けられている）
１１…固定ピンのロックプレート（止め金等）
１１-s…固定ピンのロックプレート１１のスライドを可能としてスライド方向以 外を拘束する固定材
１１-v…固定ピンのロックプレートのロック孔
１１-x…固定ピンのロックプレート１１の回転心棒
１２…固定ピンの吊材、
１２-f…固定ピンの吊材・バネ等の取付け部
１３…地震センサー振幅装置（振り子型）
１４…地震センサー振幅装置（免震皿型、重力復元型）
１５…地震センサー振幅装置（免震皿型、バネ型）
１５-s…地震センサー振幅装置１５の感度調整ネジ
１６…切断刃
１７…固定ピンのロック（止め金等）を押して解除させる地震センサー振幅装置 の押出し部
１８…クッション材、また粘性材等の緩衝材
１９…ワイヤー、ロープまたケーブル用滑車
２０…重り
２１…自動復帰装置
２２…自動制御装置
２３…電線、２３-c…電気接点
２４…振幅調整のためのスライド装置
２５…バネ（空気バネ含む）またゴムまた積層ゴム、
２５-a…復元バネ（空気バネ含む）またゴムまた積層ゴム、
２５-b…外れ防止バネ（空気バネ含む）またゴムまた積層ゴム、
２６…緩衝材、
２７…係合材繋ぎ部材、
２７-p…係合材繋ぎ部材の押さえワッシャーまたプレート
２８…硬質板（積層ゴム）、
２９…ゴムまたバネ（空気バネ含む）本体
３０…有機溶剤で溶けるプラスチックか、水で溶けるプラスチック
３１…新重力復元型免震装置のすり鉢形状の挿入部
３２…滑り部垂直変位吸収のスライド装置
３３…地面 
【図１】
2008045396.tif 000003
【図２】
2008045396.tif 000004
【図３】
2008045396.tif 000005